【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
高性能コンピューティング環境における仮想ルータポートにわたるＳＭＰベースの接続性チェックをサポートするためのシステムであって、
１つ以上のマイクロプロセッサと、
第１のサブネットとを含み、前記第１のサブネットは、
複数のスイッチを含み、前記複数のスイッチは少なくともリーフスイッチを含み、前記複数のスイッチの各々は複数のスイッチポートを含み、前記第１のサブネットはさらに、
複数のホストチャネルアダプタを含み、前記複数のホストチャネルアダプタの各々は、少なくとも１つのホストチャネルアダプタポートを含み、前記第１のサブネットはさらに、
複数のエンドノードを含み、前記複数のエンドノードの各々は、前記複数のホストチャネルアダプタのうち少なくとも１つのホストチャネルアダプタに関連付けられており、前記第１のサブネットはさらに、
サブネットマネージャを含み、前記サブネットマネージャは、前記複数のスイッチおよび前記複数のホストチャネルアダプタのうちの１つの上で実行しており、
前記複数のスイッチのうちの１スイッチ上の前記複数のスイッチポートのうちの１スイッチポートはルータポートとして構成されており、
前記ルータポートとして構成された前記１スイッチポートは仮想ルータに論理的に接続されており、
前記サブネットマネージャは、前記ルータポートにアドレス指定された要求パケットを、前記複数のスイッチのうち前記１スイッチ上にあるとともに前記ルータポートとして構成された前記複数のスイッチポートのうち前記１スイッチポートに送信し、前記要求パケットは、前記ルータポートを越えて接続性情報を要求し、
前記複数のスイッチのうちの前記１スイッチ上に常駐するサブネット管理エージェントは前記要求パケットを変更する、システム。
【請求項２】
高性能コンピューティング環境における仮想ルータポートにわたるＳＭＰベースの接続性チェックをサポートするための方法であって、
１つ以上のマイクロプロセッサを含む１つ以上のコンピュータにおいて、第１のサブネットを提供するステップを含み、前記第１のサブネットは、
複数のスイッチを含み、前記複数のスイッチは少なくともリーフスイッチを含み、前記複数のスイッチの各々は複数のスイッチポートを含み、前記第１のサブネットはさらに、
複数のホストチャネルアダプタを含み、前記複数のホストチャネルアダプタの各々は少なくとも１つのホストチャネルアダプタポートを含み、前記第１のサブネットはさらに、
複数のエンドノードを含み、前記複数のエンドノードの各々は、前記複数のホストチャネルアダプタのうち少なくとも１つのホストチャネルアダプタに関連付けられており、前記第１のサブネットはさらに、
サブネットマネージャを含み、前記サブネットマネージャは、前記複数のスイッチおよび前記複数のホストチャネルアダプタのうちの１つの上で実行しており、前記方法はさらに、
前記複数のスイッチのうち１スイッチ上において前記複数のスイッチポートのうち１スイッチポートをルータポートとして構成するステップと、
前記ルータポートとして構成された前記１スイッチポートを仮想ルータに論理的に接続するステップとを含み、前記仮想ルータは少なくとも２つの仮想ルータポートを含み、前記方法はさらに、
前記ルータポートにアドレス指定された要求パケットを、前記サブネットマネージャにより、前記複数のスイッチのうち前記１スイッチ上にあり前記ルータポートとして構成された前記複数のスイッチポートのうち前記１スイッチポートに送信するステップを含み、前記要求パケットは、前記ルータポートを越えて接続性情報を要求し、前記方法はさらに、
前記複数のスイッチのうち前記１スイッチ上に常駐するサブネット管理エージェントによって、前記要求パケットを変更するステップを含む、方法。
【請求項３】
前記仮想ルータは少なくとも２つの仮想ルータポートを含み、
前記ルータポートとして構成された前記スイッチポートは、前記少なくとも２つの仮想ルータポートのうち第１の仮想ルータポートに論理的に接続される、請求項２に記載の方法。
【請求項４】
前記サブネット管理エージェントは、アドレスされた前記ルータポートにおいて前記要求パケットが受取られると、前記要求パケットを確認する、請求項２または３に記載の方法。
【請求項５】
前記１つ以上のマイクロプロセッサを含む前記１つ以上のコンピュータにおいて、第２のサブネットを提供するステップをさらに含み、前記第２のサブネットは、
前記第２のサブネットの複数のスイッチを含み、前記第２のサブネットの前記複数のスイッチは、前記第２のサブネットの少なくともリーフスイッチを含み、前記第２のサブネットの前記複数のスイッチの各々は、前記第２のサブネットの複数のスイッチポートを含み、前記第２のサブネットはさらに、
前記第２のサブネットの複数のホストチャネルアダプタを含み、前記第２のサブネットの前記複数のホストチャネルアダプタの各々は、前記第２のサブネットの少なくとも１つのホストチャネルアダプタポートを含み、前記第２のサブネットはさらに、
前記第２のサブネットの複数のエンドノードを含み、前記第２のサブネットの前記複数のエンドノードの各々は、前記第２のサブネットの前記複数のホストチャネルアダプタのうち前記第２のサブネットの少なくとも１つのホストチャネルアダプタに関連付けられており、前記第２のサブネットはさらに、
前記第２のサブネットのサブネットマネージャを含み、前記第２のサブネットの前記サブネットマネージャは、前記第２のサブネットの前記複数のスイッチおよび前記第２のサブネットの前記複数のホストチャネルアダプタのうちの１つの上で実行しており、前記方法はさらに、
前記第２のサブネットの別の複数のスイッチのうちの１スイッチ上で、前記第２のサブネットの前記複数のスイッチポートのうち前記第２のサブネットの１スイッチポートを前記第２のサブネットのルータポートとして構成するステップを含み、
前記第２のサブネットの前記ルータポートとして構成された前記第２のサブネットの前記１スイッチポートは、前記第２のサブネットの仮想ルータに論理的に接続されており、前記第２のサブネットの前記仮想ルータは、前記第２のサブネットの少なくとも２つの仮想ルータポートを含み、
前記第１のサブネットは、物理リンクを介して前記第２のサブネットに相互接続されている、請求項２から４のいずれか１項に記載の方法。
【請求項６】
前記要求パケットは、ＤＲ（ダイレクティットルーティング）ルーティングされたパケットであり、
前記サブネット管理エージェントによって実行される変更は、
１つ以上のホップによって前記要求に関連付けられたホップ・カウンタを拡張することと、
リモートエンド宛先を示す受取りフラグを設定することとを含む、請求項２から５のいずれか１項に記載の方法。
【請求項７】
前記サブネット管理エージェントに関連付けられたサブネット管理インターフェイス（ＳＭＩ）はさらに、前記要求パケットを変更し、前記ＳＭＩによる前記変更はホップポインタ属性を更新することを含み、
前記ＳＭＩは、前記物理リンクを介して、前記要求パケットを前記第２のサブネットの前記ルータポートに転送する、請求項５に記載の方法。
【請求項８】
前記要求パケットはＬＩＤルーティングされたパケットであり、
前記サブネット管理エージェントによって実行された前記変更は、
１つ以上のホップによって前記要求に関連付けられたホップ・カウンタを拡張することと、
リモートエンド宛先を示す受取りフラグを設定することと、
前記ＬＩＤルーティングされたパケットのアドレスに１ホップＤＲルーティングされた経路を追加することとを含む、請求項２から５のいずれか１項に記載の方法。
【請求項９】
前記サブネット管理エージェントに関連付けられたサブネット管理インターフェイス（ＳＭＩ）はさらに、前記要求パケットを変更し、前記ＳＭＩによる前記変更はホップポインタ属性を更新することを含み、
前記ＳＭＩは、前記物理リンクを介して前記第２のサブネットの前記ルータポートに前記要求パケットを転送する、請求項５に記載の方法。
【請求項１０】
コンピュータシステムに請求項２から９のいずれか１項に記載の方法を実行させる、コンピュータプログラム。